(57)【要約】【課題】積み重ねられた物品個々の画像をその物品の位置とともに効率よく管理できる物品管理システムを提供する。【解決手段】分割ガイド表示部８２は、複数段に積み重ねられた物品に重畳させて、複数の分割ガイドを表示部に表示する。撮像部８３は、表示部に表示されている物品を分割ガイドとともに撮像する。画像分割部８４は、撮像された画像を、分割ガイドを基準として物品ごとの画像に分割する。識別情報設定部８５は、分割された物品ごとの画像に識別情報を設定する。積み番号決定部８６は、複数段に積み重ねられた物品の纏まりである物品群において、分割された画像に含まれる物品の位置の識別に用いられる積み番号を決定する。【選択図】図９
2018150137.tif 000002
【特許請求の範囲】
【請求項１】
複数段に積み重ねられた物品に重畳させて、複数の分割ガイドを表示部に表示する分割ガイド表示部と、
前記表示部に表示されている物品を前記分割ガイドとともに撮像する撮像部と、
撮像された画像を、前記分割ガイドを基準として物品ごとの画像に分割する画像分割部と、
分割された物品ごとの画像に識別情報を設定する識別情報設定部と、
前記複数段に積み重ねられた物品の纏まりである物品群において、分割された画像に含まれる物品の位置の識別に用いられる積み番号を決定する積み番号決定部とを備え、
前記積み番号決定部は、前記撮像部によって撮像された前記画像のうち、第一の画像から分割された画像に設定された識別情報と、第二の画像から分割された画像に設定された識別情報とが一致する場合、一致する識別情報が設定された画像の物品を重複部分として前記第一の画像に含まれる物品と前記第二の画像に含まれる物品とで連続するように積み番号を決定する
ことを特徴とする物品管理システム。
【請求項２】
分割された画像、当該分割された画像に設定された識別情報、物品群を識別する山識別情報および積み番号を関連付けた管理情報を生成する管理情報生成部と、
生成された管理情報を記憶する記憶部とを備えた
請求項１記載の物品管理システム。
【請求項３】
撮像部は、ユーザの操作に応じて、連続する物品の一部が重複するように複数の画像を撮像する
請求項１または請求項２記載の物品管理システム。
【請求項４】
画像分割部は、撮像された画像に含まれる分割ガイドを当該画像中の物品の位置に応じて変形し、変形された分割ガイドを基準に、撮像された画像を物品ごとの画像に分割する
請求項１から請求項３のうちのいずれか１項に記載の物品管理システム。
【請求項５】
画像分割部は、撮像された画像に含まれる分割ガイドを当該画像中の物品の位置に応じて変形する指示をユーザから受け付け、変形された分割ガイドを基準に、撮像された画像を物品ごとの画像に分割する
請求項１から請求項４のうちのいずれか１項に記載の物品管理システム。
【請求項６】
分割ガイド表示部は、表示部に表示される物品の段数に合わせた分割ガイドを表示する
請求項１から請求項５のうちのいずれか１項に記載の物品管理システム。
【請求項７】
識別情報設定部は、撮像された画像に含まれる文字、図形または記号を識別情報として設定する
請求項１から請求項６のうちのいずれか１項に記載の物品管理システム。
【請求項８】
複数段に積み重ねられた物品に重畳させて、複数の分割ガイドを表示部に表示し、
前記表示部に表示されている物品を前記分割ガイドとともに撮像し、
撮像された画像を、前記分割ガイドを基準として物品ごとの画像に分割し、
分割された物品ごとの画像に識別情報を設定し、
前記複数段に積み重ねられた物品の纏まりである物品群において、分割された画像に含まれる物品の位置の識別に用いられる積み番号を決定し、
前記積み番号を決定する際、撮像された前記画像のうち、第一の画像から分割された画像に設定された識別情報と、第二の画像から分割された画像に設定された識別情報とが一致する場合、一致する識別情報が設定された画像の物品を重複部分として前記第一の画像に含まれる物品と前記第二の画像に含まれる物品とで連続するように積み番号を決定する
ことを特徴とする物品管理方法。
【請求項９】
分割された画像、当該分割された画像に設定された識別情報、物品群を識別する山識別情報および積み番号を関連付けた管理情報を生成し、
生成された管理情報を記憶部に記憶する
請求項８記載の物品管理方法。
【請求項１０】
コンピュータに、
複数段に積み重ねられた物品に重畳させて、複数の分割ガイドを表示部に表示する分割ガイド表示処理、
前記表示部に表示されている物品を前記分割ガイドとともに撮像する撮像処理、
撮像された画像を、前記分割ガイドを基準として物品ごとの画像に分割する画像分割処理、
分割された物品ごとの画像に識別情報を設定する識別情報設定処理、および、
前記複数段に積み重ねられた物品の纏まりである物品群において、分割された画像に含まれる物品の位置の識別に用いられる積み番号を決定する積み番号決定処理を実行させ、
前記積み番号決定処理で、前記撮像処理で撮像された前記画像のうち、第一の画像から分割された画像に設定された識別情報と、第二の画像から分割された画像に設定された識別情報とが一致する場合、一致する識別情報が設定された画像の物品を重複部分として前記第一の画像に含まれる物品と前記第二の画像に含まれる物品とで連続するように積み番号を決定させる
ための物品管理プログラム。
【発明の詳細な説明】
【技術分野】
【０００１】
本発明は、複数段に積み重ねられた物品を管理する物品管理システム、物品管理方法および物品管理プログラムに関する。
【背景技術】
【０００２】
製品や原材料などの物品の出荷時や棚卸し時には、保管情報に基づいてこれらの物品を検品することが一般に行われる。例えば、梱包された製品や原材料の側面には、それらの識別情報が付加されることが多い。作業者は、付加された識別情報を目視で保管情報と照合して、検品作業を行う。
【０００３】
一方、作業者が目視で照合を行う場合、人為的ミスが発生する可能性もあるため、画像認識処理を利用して、保管情報と識別情報とを照合する方法が提案されている。
【０００４】
例えば、特許文献１には、各々番地が割り振られた複数のエリア各々に複数段に積み重ねて保管される複数の出荷対象の照合を行う照合システムが記載されている。特許文献１に記載された照合システムは、ファインダーを有し、そのファインダーに撮像された画像を表示するとともに、表示されている画像中の認識対象の一部領域を示す特定フレームを、その画像に重ねて表示する。
【先行技術文献】
【特許文献】
【０００５】
【特許文献１】国際公開第２０１４／１４１１５３４号
【発明の概要】
【発明が解決しようとする課題】
【０００６】
特許文献１に記載されているような照合を行う場合、保管情報として、照合に用いる物品の画像情報を準備しておく必要がある。しかし、物品が大量に存在する場合、個々の物品を撮影して画像を取得する方法では、煩わしさに堪えない。例えば、特許文献１に記載されているような複数段に積み重ねられた出荷対象を一枚一枚撮影して画像情報を準備することは、非常に手間のかかる作業である。
【０００７】
管理対象の物品をまとめて撮影することで、撮影回数を減らすことも考えられる。しかし、積み重ねられた物品の量が多い場合、一度に撮影できる物品の数には限界がある。複数回に分けてこれらの物品を撮影した場合、積み重ねられた物品がそれぞれ別の画像に含まれることになる。積み重ねられた物品を管理する際には、物品単体の画像を管理するだけでなく、積み重ねられた物品の位置も管理する必要性がある。そのため、対象とする物品の画像がそれぞれ別の画像に含まれていたとしても、その物品の位置とともに効率よく管理できることが好ましい。
【０００８】
そこで、本発明は、積み重ねられた物品個々の画像をその物品の位置とともに効率よく管理できる品管理システム、物品管理方法および物品管理プログラムを提供することを目的とする。
【課題を解決するための手段】
【０００９】
本発明による物品管理システムは、複数段に積み重ねられた物品に重畳させて、複数の分割ガイドを表示部に表示する分割ガイド表示部と、表示部に表示されている物品を分割ガイドとともに撮像する撮像部と、撮像された画像を、分割ガイドを基準として物品ごとの画像に分割する画像分割部と、分割された物品ごとの画像に識別情報を設定する識別情報設定部と、複数段に積み重ねられた物品の纏まりである物品群において、分割された画像に含まれる物品の位置の識別に用いられる積み番号を決定する積み番号決定部とを備え、積み番号決定部が、撮像部によって撮像された画像のうち、第一の画像から分割された画像に設定された識別情報と、第二の画像から分割された画像に設定された識別情報とが一致する場合、一致する識別情報が設定された画像の物品を重複部分として第一の画像に含まれる物品と第二の画像に含まれる物品とで連続するように積み番号を決定することを特徴とする。
【００１０】
本発明による物品管理方法は、複数段に積み重ねられた物品に重畳させて、複数の分割ガイドを表示部に表示し、表示部に表示されている物品を分割ガイドとともに撮像し、撮像された画像を、分割ガイドを基準として物品ごとの画像に分割し、分割された物品ごとの画像に識別情報を設定し、複数段に積み重ねられた物品の纏まりである物品群において、分割された画像に含まれる物品の位置の識別に用いられる積み番号を決定し、積み番号を決定する際、撮像された画像のうち、第一の画像から分割された画像に設定された識別情報と、第二の画像から分割された画像に設定された識別情報とが一致する場合、一致する識別情報が設定された画像の物品を重複部分として第一の画像に含まれる物品と第二の画像に含まれる物品とで連続するように積み番号を決定することを特徴とする。
【００１１】
本発明による物品管理プログラムは、コンピュータに、複数段に積み重ねられた物品に重畳させて、複数の分割ガイドを表示部に表示する分割ガイド表示処理、表示部に表示されている物品を分割ガイドとともに撮像する撮像処理、撮像された画像を、分割ガイドを基準として物品ごとの画像に分割する画像分割処理、分割された物品ごとの画像に識別情報を設定する識別情報設定処理、および、複数段に積み重ねられた物品の纏まりである物品群において、分割された画像に含まれる物品の位置の識別に用いられる積み番号を決定する積み番号決定処理を実行させ、積み番号決定処理で、撮像処理で撮像された画像のうち、第一の画像から分割された画像に設定された識別情報と、第二の画像から分割された画像に設定された識別情報とが一致する場合、一致する識別情報が設定された画像の物品を重複部分として第一の画像に含まれる物品と第二の画像に含まれる物品とで連続するように積み番号を決定させることを特徴とする。
【発明の効果】
【００１２】
本発明によれば、積み重ねられた物品個々の画像をその物品の位置とともに効率よく管理できる。
【図面の簡単な説明】
【００１３】
【図１】本発明による物品管理システムの一実施形態を示すブロック図である。
【図２】表示部が物品を表示した例を示す説明図である。
【図３】分割ガイドを表示する処理の例を示す説明図である。
【図４】撮影された画像の一覧を表示する例を示す説明図である。
【図５】分割ガイドを変更する処理の例を示す説明図である。
【図６】ロット番号を設定する画面の例を示す説明図である。
【図７】物品管理システムの動作例を示すフローチャートである。
【図８】物品群が複数の画像で撮影された場合に積み番号を決定する処理の例を示す説明図である。
【図９】本発明による物品管理システムの概要を示すブロック図である。
【発明を実施するための形態】
【００１４】
以下、本発明の実施形態を図面を参照して説明する。
本実施形態では、複数段に積み重ねられた物品の画像をユーザが分割して撮像し、撮像された複数の画像から個々の物品の画像を含む管理情報が生成される。各物品の側面には、その物品を識別する識別情報が付与され、その識別情報は視認できるものとする。なお、生成される管理情報については後述される。
【００１５】
物品の例として、段ボールで梱包された平面状の製品や、袋詰めされた飼料などが挙げられる。なお、物品は、梱包や袋詰めされているものに限定されない。
【００１６】
図１は、本発明による物品管理システムの第１の実施形態の構成例を示すブロック図である。本実施形態の物品管理システム１００は、ファインダー１０と、表示部１１と、分割ガイド表示部１２と、撮像部１３と、画像分割部１４と、ロット番号設定部１５と、積み番号決定部１６と、管理情報生成部１７と、記憶部１８とを備えている。
【００１７】
表示部１１は、複数段に積み重ねられた複数の物品をファインダー１０に表示する。ファインダー１０は、撮像対象とする物品を決めるために使用する表示装置であり、例えば、液晶画面により実現される。すなわち、ファインダー１０そのものを表示部ということができる。以下の説明では、複数段に積み重ねられた物品の纏まりを物品群と記す。表示部１１は、物品群の一部をファインダー１０に表示する。表示部１１は、例えば、ユーザの操作によって向けられた方向に存在する物品をファインダー１０に表示する。
【００１８】
なお、本実施形態では、物品に付与された識別情報を含めて画像化するため、表示部１１は、ユーザの操作に従って、各識別情報が含まれるように物品をファインダー１０に表示する。図２は、表示部１１が物品を表示した例を示す説明図である。図２に示す例では、物品群２０として１２段に積み重ねられた物品２１が存在している状態で、表示部１１が、下から５段分の物品２１をファインダー１０に表示していることを示す。ただし、表示部１１がファインダー１０に表示する物品の位置は、物品の最下段を含む位置に限定されない。
【００１９】
分割ガイド表示部１２は、ファインダー１０に表示された物品に重畳させて、複数の領域からなる分割ガイドを、そのファインダー１０に表示する。領域の形状は任意であり、例えば、矩形、角丸四角形などである。ただし、領域の形状は四角形に限られず、丸や三角など、撮像する物品に応じて決定されてもよい。分割ガイド表示部１２は、ファインダー１０に表示される物品の段数に合わせた分割ガイドを表示する。物品の段数は、ユーザにより指定されてもよく、分割ガイド表示部１２が表示された画像を認識して自動で物品の段数を決定してもよい。
【００２０】
なお、本実施形態では、表示部１１が物品をファインダー１０に表示してから分割ガイドを表示する場合を例示しているが、分割ガイド表示部１２が、ファインダー１０に分割ガイドを表示した後で、表示部１１が物品を分割ガイドと重畳させるように表示してもよい。
【００２１】
図３は、分割ガイドを表示する処理の例を示す説明図である。図３に示す例では、まず、分割ガイド表示部１２が、分割ガイドの表示段数の指定を受け付けて（図３（ａ）参照）、分割ガイド２２をファインダー１０に表示する。その後、表示部１１が、分割ガイド２２を物品２１に重畳させてファインダー１０に表示する（図３（ｂ）参照）。
【００２２】
撮像部１３は、ファインダー１０に表示されている物品を分割ガイドとともに撮像する。撮像された画像は、例えば、記憶部１８に記憶される。なお、撮像する際、物品群を識別する情報（以下、山識別情報と記す。）が指定され、撮像された画像は、指定された山識別情報と対応付けられる。
【００２３】
本実施形態では、後述する積み番号決定部１６が、連続する物品に連続した積み番号を決定できるように、撮像部１３は、ユーザの操作に応じて、連続する物品の一部が重複するように複数の画像を撮像する。
【００２４】
図４は、撮影された画像の一覧を表示する例を示す説明図である。図４に例示する一覧は、山識別情報が同一の画像の一覧を示す。すなわち、図４に例示する一覧の画像は、同じ山識別情報で識別される物品群を分割して撮影された画像である。
【００２５】
なお、図４に例示する画面の編集ボタン２３は、後述する画像分割部１４が画像のトリミングを行い、ロット番号設定部１５がロット番号を設定する際に利用される画面を表示するためのものである。例えば、図４に例示するようにロット番号の設定が完了した画像に「済」の印をつけ、未完了の画像に「未」を付けて一覧が表示されてもよい。
【００２６】
画像分割部１４は、撮像された画像を、分割ガイドを基準として物品ごとの画像に分割する。このとき、画像分割部１４は、撮像された画像に含まれる分割ガイドをその画像中の物品の位置に応じて変形（トリミング）する指示をユーザから受け付け、変形された分割ガイドを基準に、撮像された画像を物品ごとの画像に分割してもよい。
【００２７】
すなわち、画像分割部１４は、物品ごとに画像を適切に分割できるように、分割ガイドの縦幅または横幅の少なくとも一方の変更を受け付けて、分割ガイドを変更してもよい。画像分割部１４は、例えば、タッチパネルに画像と分割ガイドとを表示し、表示した分割ガイドを変更する入力をユーザから受け付けて分割ガイドを変更してもよい。
【００２８】
図５は、分割ガイドを変更する処理の例を示す説明図である。図５に示す例では、物品との関係でズレの発生している分割ガイド（図５（ａ）参照）を、物品および識別情報に合わせて変更していることを示す（図５（ｂ）参照）。画像分割部１４がこのような変更指示を受け付けることで、管理に適した物品ごとの画像を生成できる。
【００２９】
なお、画像分割部１４は、ユーザからの指示ではなく、例えば、画像認識技術を用いて、撮像された画像に含まれる分割ガイドをその画像中の物品の位置に応じて自動で変形し、変形された分割ガイドを基準に、撮像された画像を物品ごとの画像に分割してもよい。
【００３０】
撮像された画像には山識別情報が対応付けられているため、画像分割部１４は、分割した画像にも同じ山識別情報を対応付ける。
【００３１】
ロット番号設定部１５は、分割された物品ごとの画像にロット番号を設定する。ロット番号は、画像に含まれる物品を一意に識別する識別情報である。したがって、ロット番号設定部１５は、分割された物品ごとの画像に識別情報を設定していると言える。図６は、ロット番号を設定する画面の例を示す説明図である。ロット番号設定部１５は、図６に示すように、ユーザが入力欄２４に入力したロット番号を、対応する物品ごとの画像に設定してもよい。
【００３２】
また、ロット番号設定部１５は、ＯＣＲ（Optical Character Recognition ）の技術を用いて、撮像された画像に含まれる文字、図形または記号を、その画像のロット番号として設定してもよい。
【００３３】
積み番号決定部１６は、分割された画像に含まれる物品が、物品群のどの位置にあるか決定する。以下、物品群における物品の位置を表す番号を、積み番号と記す。物品の位置の開始場所は、積み重ねられた物品の一番上であってもよく、一番下であってもよい。一番上を開始場所とした場合、積み番号決定部１６は、上から順に積み番号を連続で決定する。同様に、一番下を開始場所とした場合、積み番号決定部１６は、下から順に積み番号を連続で決定する。以下の説明では、一番上を開始場所として積み番号が決定されるものとする。ただし、一番下を開始位置とする場合も同様に、積み番号を決定できる。
【００３４】
積み番号決定部１６は、撮影された画像内の物品に連続するように積み番号を決定する。例えば、図６に示す例の場合、積み番号決定部１６は、物品の上から順番に“０１”から“０５”までの積み番号を決定する。
【００３５】
なお、本実施形態では、物品群に対して複数の画像が撮影される。そこで、積み番号決定部１６は、連続する物品で連続になるように積み番号を決定する。具体的には、積み番号決定部１６は、まず、２つの画像（以下、第一の画像、第二の画像と記す。）に着目する。積み番号決定部１６は、第一の画像から分割された画像に設定されたロット番号と、第二の画像から分割された画像に設定されたロット番号で一致するものがあるか否か判断する。
【００３６】
一致するロット番号がある場合、積み番号決定部１６は、一致するロット番号が設定された画像の物品を重複部分として第一の画像に含まれる物品と第二の画像に含まれる物品とで連続するように積み番号を決定する。
【００３７】
また、積み番号決定部１６は、物品群単位で、分割された物品ごとの画像のファイル名の先頭に積み番号を含めるようにしてもよい。このようなファイル名にすることで、複数段に積み重ねられた物品の並びに合わせて画像ファイルをソートすることが可能になる。
【００３８】
管理情報生成部１７は、分割された物品の画像、その画像に設定されたロット番号、その物品が含まれる物品群を識別する山識別情報およびその画像について決定された積み番号を関連付けた管理情報を生成する。管理情報生成部１７は、生成した管理情報を記憶部１８に記憶する。
【００３９】
表示部１１と、分割ガイド表示部１２と、撮像部１３と、画像分割部１４と、ロット番号設定部１５と、積み番号決定部１６と、管理情報生成部１７とは、プログラム（物品管理プログラム）に従って動作するコンピュータのＣＰＵによって実現される。例えば、プログラムは、記憶部１８に記憶され、ＣＰＵは、そのプログラムを読み込み、プログラムに従って、表示部１１、分割ガイド表示部１２、撮像部１３、画像分割部１４、ロット番号設定部１５、積み番号決定部１６および管理情報生成部１７として動作してもよい。
【００４０】
また、本実施形態の物品管理システムは、単体の装置で実現されていてもよく、複数の装置により実現されていてもよい。例えば、ユーザが画像を撮像するまでの処理を行う表示部１１、分割ガイド表示部１２および撮像部１３が、第一の装置（例えば、タブレット端末など）で実現され、画像分割部１４、ロット番号設定部１５、積み番号決定部１６および管理情報生成部１７が、第二の装置（例えば、サーバなど）で実現されてもよい。
【００４１】
また、表示部１１と、分割ガイド表示部１２と、撮像部１３と、画像分割部１４と、ロット番号設定部１５と、積み番号決定部１６と、管理情報生成部１７とは、それぞれが専用のハードウェアで実現されていてもよい。記憶部１８は、例えば、磁気ディスク装置により実現される。
【００４２】
次に、本実施形態の動作を説明する。図７は、本実施形態の物品管理システム１００の動作例を示すフローチャートである。表示部１１は、複数段に積み重ねられた物品をファインダー１０に表示する（ステップＳ１１）。分割ガイド表示部１２は、ファインダー１０に表示された物品に重畳させて分割ガイドをそのファインダー１０に表示する（ステップＳ１２）。なおステップＳ１１の処理と、ステップＳ１２の処理は、入れ替わっていてもよい。撮像部１３は、ファインダー１０に表示されている物品を分割ガイドとともに撮像する（ステップＳ１３）。画像分割部１４は、撮像された画像を、分割ガイドを基準として物品ごとの画像に分割する（ステップＳ１４）。
【００４３】
ロット番号設定部１５は、分割された物品ごとの画像にロット番号を設定する（ステップＳ１５）。積み番号決定部１６は、物品群において、分割された画像に含まれる物品の積み番号を決定する（ステップＳ１６）。管理情報生成部１７は、分割された画像、その分割された画像に設定されたロット番号、物品群を識別する山識別情報および積み番号を関連付けた管理情報を生成する（ステップＳ１７）。
【００４４】
ここで、積み番号決定部１６が積み番号を決定する処理を具体的に説明する。図８は、物品群が複数の画像で撮影された場合に積み番号を決定する処理の例を示す説明図である。ここでは、積み番号決定部１６が１２段積まれた各物品の積み番号を決定するものとする。
【００４５】
また、撮像部１３は、物品群３０を３枚の画像で撮影する。具体的には、１枚目の画像３１には、８段目から１２段目までの５つの物品が撮影され、２枚目の画像３２には、５段目から８段目までの４つの物品が撮影され、３枚目の画像３３には、１段目から５段目までの５つの物品が撮影される。すなわち、１枚目の画像３１と２枚目の画像３２は、重複する８段目の物品を含み、２枚目の画像３２と３枚目の画像３３は、重複する５段目の物品を含む（図８（ａ）参照）。
【００４６】
また、以下の説明では、１枚目の画像の撮影画像Ｎｏを“０１”とし、２枚目の画像の撮影画像Ｎｏを“０２”とし、３枚目の画像の撮影画像Ｎｏを“０３”とし、分割された物品ごとの画像に付与する番号を“００”とする。
【００４７】
まず、撮像部１３が１枚目の画像３１を撮影すると、画像分割部１４が、撮像された画像を物品ごとの画像に分割し、ロット番号設定部１５が、各画像にロット番号を設定する。そして、積み番号決定部１６が、上から順に物品の積み番号を“０１”〜“０５”と決定する。また、積み番号決定部１６は、物品ごとの画像のファイル名を「０１＋積み番号＿ロット番号」と決定する。
【００４８】
また、積み番号決定部１６は、物品群３０を一纏まりにした画像ファイルを生成するため、ファイル名を「００＋積み番号＿ロット番号」とする画像ファイルを別途生成する。このファイルは、１枚目の画像３１を分割した各画像と同じ内容である（図８（ｂ）参照）。
【００４９】
同様に、２枚目の画像３２について、積み番号決定部１６が、上から順に物品の積み番号を“０１”〜“０４”と決定する。また、積み番号決定部１６は、物品ごとの画像のファイル名を「０２＋積み番号＿ロット番号」と決定する。
【００５０】
ここで、１枚目の画像の一番上に含まれる８段目の物品のロット番号と、２枚目の画像の一番下に含まれる８段目の物品のロット番号は同一である。そこで、積み番号決定部１６は、一致するロット番号が設定された画像の物品を重複部分として１枚目の画像に含まれる物品と２枚目の画像に含まれる物品とで連続するように積み番号を決定する。具体的には、積み番号決定部１６は、２枚目の画像における一番上の物品の積み番号を“０１”とし、以下連続した積み番号を“０８”まで決定する。
【００５１】
このような積み番号を決定した後、積み番号決定部１６は、物品群を一纏まりにした画像ファイルを生成するため、ファイル名を「００＋積み番号＿ロット番号」とする画像ファイルを別途生成する（図８（ｃ）参照）。
【００５２】
同様に、３枚目の画像について、積み番号決定部１６が、上から順に物品の積み番号を“０１”〜“０５”と決定する。また、積み番号決定部１６は、物品ごとの画像のファイル名を「０３＋積み番号＿ロット番号」と決定する。
【００５３】
ここで、２枚目の画像の一番上に含まれる５段目の物品のロット番号と、３枚目の画像の一番下に含まれる５段目の物品のロット番号は同一である。そこで、積み番号決定部１６は、一致するロット番号が設定された画像の物品を重複部分として２枚目の画像に含まれる物品と３枚目の画像に含まれる物品とで連続するように積み番号を決定する。具体的には、積み番号決定部１６は、３枚目の画像における一番上の物品の積み番号を“０１”とし、以下連続した積み番号を“１２”まで決定する。
【００５４】
このような積み番号を決定した後、同様に、積み番号決定部１６は、物品群を一纏まりにした画像ファイルを生成するため、ファイル名を「００＋積み番号＿ロット番号」とする画像ファイルを別途生成する。
【００５５】
その結果、３枚の撮影画像、撮影画像ごとに分割した画像、物品群で一纏まりにした物品ごとの画像の、それぞれのファイルが生成される。また、物品群の一番上から通しの積み番号が決定される。
【００５６】
以上のように、本実施形態では、分割ガイド表示部１２が、複数段に積み重ねられた物品に重畳させて、複数の分割ガイドをファインダー１０に表示し、撮像部１３が、ファインダー１０に表示されている物品を分割ガイドとともに撮像する。画像分割部１４は、撮像された画像を、分割ガイドを基準として物品ごとの画像に分割し、ロット番号設定部１５が、分割された物品ごとの画像にロット番号を設定する。そして、積み番号決定部１６は、物品群において、分割された画像に含まれる物品の位置の識別に用いられる積み番号を決定する。
【００５７】
また、積み番号を決定する際、積み番号決定部１６は、撮像された画像のうち、第一の画像から分割された画像に設定されたロット番号と、第二の画像から分割された画像に設定されたロット番号とが一致するか判断する。ロット番号が一致する場合、積み番号決定部１６は、一致するロット番号が設定された画像の物品を重複部分として第一の画像に含まれる物品と第二の画像に含まれる物品とで連続するように積み番号を決定する。よって、積み重ねられた物品個々の画像をその物品の位置とともに効率よく管理できる。
【００５８】
次に、本発明の概要を説明する。図９は、本発明による物品管理システムの概要を示すブロック図である。本発明による物品管理システム８０は、複数段に積み重ねられた物品に重畳させて、複数の分割ガイドを表示部（例えば、ファインダー１０）に表示する分割ガイド表示部８２と、表示部に表示されている物品を分割ガイドとともに撮像する撮像部８３（例えば、撮像部１３）と、撮像された画像を、分割ガイドを基準として物品ごとの画像に分割する画像分割部８４（例えば、画像分割部１４）と、分割された物品ごとの画像に識別情報（例えば、ロット番号）を設定する識別情報設定部８５（例えば、ロット番号設定部１５）と、複数段に積み重ねられた物品の纏まりである物品群において、分割された画像に含まれる物品の位置の識別に用いられる積み番号を決定する積み番号決定部８６（例えば、積み番号決定部１６）とを備えている。
【００５９】
積み番号決定部８６は、撮像部８３によって撮像された画像のうち、第一の画像から分割された画像に設定された識別情報と、第二の画像から分割された画像に設定された識別情報とが一致する場合、一致する識別情報が設定された画像の物品を重複部分として第一の画像に含まれる物品と第二の画像に含まれる物品とで連続するように積み番号を決定する
【００６０】
そのような構成により、積み重ねられた物品個々の画像をその物品の位置とともに効率よく管理できる。
【００６１】
また、物品管理システム８０は、分割された画像、その分割された画像に設定された識別情報、物品群を識別する山識別情報および積み番号を関連付けた管理情報を生成する管理情報生成部（例えば、管理情報生成部１７）と、生成された管理情報を記憶する記憶部（例えば、記憶部１８）とを備えていてもよい。
【００６２】
具体的には、撮像部８３は、ユーザの操作に応じて、連続する物品の一部が重複するように複数の画像を撮像する。
【００６３】
また、画像分割部８４は、撮像された画像に含まれる分割ガイドをその画像中の物品の位置に応じて変形（例えば、トリミング）し、変形された分割ガイドを基準に、撮像された画像を物品ごとの画像に分割してもよい。
【００６４】
また、画像分割部８４は、撮像された画像に含まれる分割ガイドをその画像中の物品の位置に応じて変形する指示をユーザから受け付け、変形された分割ガイドを基準に、撮像された画像を物品ごとの画像に分割してもよい。
【００６５】
また、分割ガイド表示部８２は、表示部に表示される物品の段数に合わせた分割ガイドを表示してもよい。
【００６６】
また、識別情報設定部８５は、撮像された画像に含まれる文字、図形または記号を識別情報として設定してもよい。
【００６７】
上記の実施形態の一部又は全部は、以下の付記のようにも記載されうるが、以下には限られない。
【００６８】
（付記１）複数段に積み重ねられた物品に重畳させて、複数の分割ガイドを表示部に表示する分割ガイド表示部と、前記表示部に表示されている物品を前記分割ガイドとともに撮像する撮像部と、撮像された画像を、前記分割ガイドを基準として物品ごとの画像に分割する画像分割部と、分割された物品ごとの画像に識別情報を設定する識別情報設定部と、前記複数段に積み重ねられた物品の纏まりである物品群において、分割された画像に含まれる物品の位置の識別に用いられる積み番号を決定する積み番号決定部とを備え、前記積み番号決定部は、前記撮像部によって撮像された前記画像のうち、第一の画像から分割された画像に設定された識別情報と、第二の画像から分割された画像に設定された識別情報とが一致する場合、一致する識別情報が設定された画像の物品を重複部分として前記第一の画像に含まれる物品と前記第二の画像に含まれる物品とで連続するように積み番号を決定することを特徴とする物品管理システム。
【００６９】
（付記２）分割された画像、当該分割された画像に設定された識別情報、物品群を識別する山識別情報および積み番号を関連付けた管理情報を生成する管理情報生成部と、生成された管理情報を記憶する記憶部とを備えた付記１記載の物品管理システム。
【００７０】
（付記３）撮像部は、ユーザの操作に応じて、連続する物品の一部が重複するように複数の画像を撮像する付記１または付記２記載の物品管理システム。
【００７１】
（付記４）画像分割部は、撮像された画像に含まれる分割ガイドを当該画像中の物品の位置に応じて変形し、変形された分割ガイドを基準に、撮像された画像を物品ごとの画像に分割する付記１から付記３のうちのいずれか１つに記載の物品管理システム。
【００７２】
（付記５）画像分割部は、撮像された画像に含まれる分割ガイドを当該画像中の物品の位置に応じて変形する指示をユーザから受け付け、変形された分割ガイドを基準に、撮像された画像を物品ごとの画像に分割する付記１から付記４のうちのいずれか１つに記載の物品管理システム。
【００７３】
（付記６）分割ガイド表示部は、表示部に表示される物品の段数に合わせた分割ガイドを表示する付記１から付記５のうちのいずれか１つに記載の物品管理システム。
【００７４】
（付記７）識別情報設定部は、撮像された画像に含まれる文字、図形または記号を識別情報として設定する付記１から付記６のうちのいずれか１つに記載の物品管理システム。
【００７５】
（付記８）積み番号決定部は、物品群単位で、分割された物品ごとの画像に対して、先頭に積み番号を含めたファイル名を生成する付記１から付記７のうちのいずれか１つに記載の物品管理システム。
【００７６】
（付記９）複数段に積み重ねられた物品に重畳させて、複数の分割ガイドを表示部に表示し、前記表示部に表示されている物品を前記分割ガイドとともに撮像し、撮像された画像を、前記分割ガイドを基準として物品ごとの画像に分割し、分割された物品ごとの画像に識別情報を設定し、前記複数段に積み重ねられた物品の纏まりである物品群において、分割された画像に含まれる物品の位置の識別に用いられる積み番号を決定し、前記積み番号を決定する際、撮像された前記画像のうち、第一の画像から分割された画像に設定された識別情報と、第二の画像から分割された画像に設定された識別情報とが一致する場合、一致する識別情報が設定された画像の物品を重複部分として前記第一の画像に含まれる物品と前記第二の画像に含まれる物品とで連続するように積み番号を決定することを特徴とする物品管理方法。
【００７７】
（付記１０）分割された画像、当該分割された画像に設定された識別情報、物品群を識別する山識別情報および積み番号を関連付けた管理情報を生成し、生成された管理情報を記憶部に記憶する付記９記載の物品管理方法。
【００７８】
（付記１１）ユーザの操作に応じて、連続する物品の一部が重複するように複数の画像が撮像される付記９または付記１０記載の物品管理方法。
【００７９】
（付記１２）コンピュータに、複数段に積み重ねられた物品に重畳させて、複数の分割ガイドを表示部に表示する分割ガイド表示処理、前記表示部に表示されている物品を前記分割ガイドとともに撮像する撮像処理、撮像された画像を、前記分割ガイドを基準として物品ごとの画像に分割する画像分割処理、分割された物品ごとの画像に識別情報を設定する識別情報設定処理、および、前記複数段に積み重ねられた物品の纏まりである物品群において、分割された画像に含まれる物品の位置の識別に用いられる積み番号を決定する積み番号決定処理を実行させ、前記積み番号決定処理で、前記撮像処理で撮像された前記画像のうち、第一の画像から分割された画像に設定された識別情報と、第二の画像から分割された画像に設定された識別情報とが一致する場合、一致する識別情報が設定された画像の物品を重複部分として前記第一の画像に含まれる物品と前記第二の画像に含まれる物品とで連続するように積み番号を決定させる  ための物品管理プログラム。
【００８０】
（付記１３）コンピュータに、分割された画像、当該分割された画像に設定された識別情報、物品群を識別する山識別情報および積み番号を関連付けた管理情報を生成する管理情報生成処理、および、生成された管理情報を記憶する記憶処理を実行させる付記１２記載の物品管理プログラム。
【００８１】
（付記１４）コンピュータに、撮像処理で、ユーザの操作に応じて、連続する物品の一部が重複するように複数の画像を撮像させる付記１２または付記１３記載の物品管理プログラム。
【符号の説明】
【００８２】
１１  表示部
１２  分割ガイド表示部
１３  撮像部
１４  画像分割部
１５  ロット番号設定部
１６  積み番号決定部
１７  管理情報生成部
１８  記憶部
２０  物品群
２１  物品
１００  物品管理システム
【図１】
2018150137.tif 000003
【図２】
2018150137.tif 000004
【図３】
2018150137.tif 000005
【図４】
2018150137.tif 000006
【図５】
2018150137.tif 000007
【図６】
2018150137.tif 000008
【図７】
2018150137.tif 000009
【図８】
2018150137.tif 000010
【図９】
2018150137.tif 000011